(57)【要約】【課題】パラペットの壁突き当て部分において防水性能を向上させる。【解決手段】建物の屋根部にはその周縁部分にパラペット部１３が設けられるとともに、そのパラペット部１３の立ち上がり高さよりも高さ寸法の大きい側壁部１５ａが設けられており、側壁部１５ａから延びるようにしてパラペット部１３が設けられている。側壁部１５ａは、下地フレーム６２とその下地フレーム６２に固定される外壁材６３とを有している。パラペット部１３と側壁部１５ａとの入隅部には、側壁部１５ａの下地フレーム６２とパラペット部１３との両方に跨ってコーナ防水テープ７７，７８が貼り付けられている。【選択図】      図７
2014194130.tif 000002
【特許請求の範囲】
【請求項１】
建物の屋根部において、その周縁部分にパラペットが設けられるとともに、そのパラペットの立ち上がり高さよりも高さ寸法の大きい壁部が設けられており、前記壁部から延びるようにして前記パラペットが設けられており、
前記壁部は、下地フレームとその下地フレームに固定される外壁材とを有しており、
前記パラペットと前記壁部との入隅部分には、前記壁部の下地フレームと前記パラペットとの両方に跨ってシート状の第１防水手段が貼り付けられていることを特徴とするパラペットの防水構造。
【請求項２】
前記パラペットと前記壁部との入隅部分には、前記パラペット及び前記壁部のそれぞれに、入隅頂点位置から互いに交差する方向に延びる貼り付け面が形成されており、
前記第１防水手段は、前記貼り付け面にＬ字状に貼り付けられるコーナ防水テープであることを特徴とする請求項１に記載のパラペットの防水構造。
【請求項３】
前記パラペットと前記壁部との入隅部分において前記第１防水手段の外側となる位置には、前記下地フレームに固定された外壁材と前記パラペットとの間の目地部分に第２防水手段が設けられていることを特徴とする請求項１又は２に記載のパラペットの防水構造。
【請求項４】
前記屋根部には塔屋が設けられ、その塔屋の側壁部が前記壁部であり、前記塔屋の出隅と前記パラペットとが上下に連続しており、
前記塔屋の出隅には、前記パラペットの真上に、前記パラペットの厚み寸法よりも幅広のコーナ外壁材が固定されるようになっており、
前記コーナ外壁材の下方であって前記パラペットの側方となる部位には、前記第１防水手段の上に重なるようにしてサブ外壁材が固定されており、
前記第２防水手段は、前記コーナ外壁材と前記サブ外壁材との間の横目地を含む範囲で設けられていることを特徴とする請求項３に記載のパラペットの防水構造。
【請求項５】
前記パラペットの頂部とその上方の前記壁部との入隅部分に前記第１防水手段が貼り付けられており、
前記パラペットの頂部には、その頂部を覆うようにしてパラペット防水部材が取り付けられ、そのパラペット防水部材が、前記第１防水手段に対して重なり合った状態となっていることを特徴とする請求項１乃至４のいずれか一項に記載のパラペットの防水構造。
【請求項６】
前記パラペットの頂部には、当該パラペットを構成するパラペットフレームとそのパラペットフレームに固定されるパラペット外壁材との両方の上面に、防水性を有する粘着テープが貼り付けられ、その粘着テープの上に前記パラペット防水部材が取り付けられており、
前記粘着テープは、前記第１防水手段の上に重ねて貼り付けられていることを特徴とする請求項５に記載のパラペットの防水構造。
【請求項７】
前記壁部において前記下地フレームと前記外壁材との間には、一部が前記外壁材の下端よりも下方に延びるようにして壁下防水シートが設けられており、
前記壁下防水シートに対して重なり合った状態で前記第１防水手段が貼り付けられていることを特徴とする請求項１乃至６のいずれか一項に記載のパラペットの防水構造。
【請求項８】
前記パラペットと前記壁部との入隅部分には、前記パラペットの頂部と内側部とに沿って延びるカバー部材が取り付けられていることを特徴とする請求項１乃至７のいずれか一項に記載のパラペットの防水構造。
【発明の詳細な説明】
【技術分野】
【０００１】
本発明は、建物の屋根部に設けられるパラペットの防水構造に関するものである。
【背景技術】
【０００２】
住宅等の建物において、屋根部を陸屋根とし、その陸屋根の周縁部にパラペットを設けた構成が知られている。こうしたパラペットを有する屋根部について種々の防水構造が提案されている。例えば、パラペットの頂部を、金属、合成樹脂など、変形可能なシート体で被覆するようにした防水構造が知られている（例えば特許文献１参照）。
【０００３】
また、建物において陸屋根の上に塔屋（ペントハウス）を設ける構成が考えられる。この場合、陸屋根の屋根面の上にパラペットと塔屋とを設け、塔屋の側壁部の壁面からパラペットが延出するようにした構成が考えられる。かかる構成では、パラペットの長手方向の端部が塔屋の側壁部に突き当たるような構成になっている。
【先行技術文献】
【特許文献】
【０００４】
【特許文献１】特開２００５−２２０７３２号公報
【発明の概要】
【発明が解決しようとする課題】
【０００５】
上記のようにパラペットの長手方向の端部が塔屋の側壁部に突き当たる構成では、その突き当て部分に防水機能を付与することが必要となる。この点、既存の技術を適用するにしても、パラペットの壁突き当て部分において十分な防水性能を付与することができず、改善の余地があると考えられる。
【０００６】
本発明は、上記事情に鑑みてなされたものであり、パラペットの壁突き当て部分において防水性能を向上させることができるパラペットの防水構造を提供することを主たる目的とするものである。
【課題を解決するための手段】
【０００７】
以下、上記課題を解決するのに有効な手段等につき、必要に応じて作用、効果等を示しつつ説明する。なお以下においては、理解の容易のため、発明の実施の形態において対応する構成の符号を括弧書き等で適宜示すが、この括弧書き等で示した具体的構成に限定されるものではない。
【０００８】
第１の発明は、
建物（１０）の屋根部（１１）において、その周縁部分にパラペット（１３）が設けられるとともに、そのパラペットの立ち上がり高さよりも高さ寸法の大きい壁部（１５ａ）が設けられており、前記壁部から延びるようにして前記パラペットが設けられており、
前記壁部は、下地フレーム（６２）とその下地フレームに固定される外壁材（６３）とを有しており、
前記パラペットと前記壁部との入隅部分には、前記壁部の下地フレームと前記パラペットとの両方に跨ってシート状の第１防水手段（７７，７８）が貼り付けられていることを特徴とするパラペットの防水構造。
【０００９】
上記構成では、パラペットの壁突き当て部分においてパラペットと壁部との入隅部分に、壁部の下地フレームとパラペットとの両方に跨ってシート状の第１防水手段が貼り付けられている。この場合、シート状の第１防水手段を用いることで、パラペットの壁突き当て部分においてパラペット内部への浸水が生じにくくなる。これにより、パラペットの壁突き当て部分において防水性能を向上させることができる。
【００１０】
第２の発明は、前記パラペットと前記壁部との入隅部分には、前記パラペット及び前記壁部のそれぞれに、入隅頂点位置から互いに交差する方向に延びる貼り付け面が形成されており、前記第１防水手段は、前記貼り付け面にＬ字状に貼り付けられるコーナ防水テープ（７７，７８）であることを特徴とする。
【００１１】
上記構成によれば、パラペットと壁部との入隅部分に、入隅頂点位置から互いに交差する方向に延びる貼り付け面（パラペット側貼り付け面、壁部側貼り付け面）が形成されており、その貼り付け面にコーナ防水テープがＬ字状に貼り付けられている。この場合、２つの貼り付け面を確保することで、上記の入隅部分において防水テープが浮いてしまい浸水の隙間ができるといった不都合が生じないようになる。そのため、防水テープをしっかりと貼り付けることができ、これにより防水性能を高めることができる。
【００１２】
第３の発明は、前記パラペットと前記壁部との入隅部分において前記第１防水手段の外側となる位置には、前記下地フレームに固定された外壁材と前記パラペットとの間の目地部分に第２防水手段（７２）が設けられていることを特徴とする。
【００１３】
上記構成では、パラペットの壁突き当て部分においてパラペットと壁部との入隅部分に、第１防水手段と第２防水手段とが内外に配置されて設けられる。この場合、上記の入隅部分に二重の防水層を形成でき、パラペットの壁突き当て部分における防水性能を一層向上させることができる。
【００１４】
第４の発明は、前記屋根部には塔屋（１５）が設けられ、その塔屋の側壁部（１５ａ）が前記壁部であり、前記塔屋の出隅と前記パラペットとが上下に連続しており、前記塔屋の出隅には、前記パラペットの真上に、前記パラペットの厚み寸法よりも幅広のコーナ外壁材（６７）が固定されるようになっており、前記コーナ外壁材の下方であって前記パラペットの側方となる部位には、前記防水テープの上に重なるようにしてサブ外壁材（６８）が固定されており、前記第２防水手段は、前記コーナ外壁材と前記サブ外壁材との間の横目地を含む範囲で設けられていることを特徴とする。
【００１５】
パラペットに連続して塔屋が設けられている構成、すなわち塔屋の側壁部にパラペットが突き当たっている構成では、塔屋のコーナ外壁材の幅寸法とパラペットの厚み寸法との関係（コーナ外壁材の幅寸法＞パラペットの厚み寸法）から、塔屋の側壁部においてパラペットの側方に、コーナ外壁材と通常部分の外壁材とのいずれもが存在しない部分（壁非存在の部分）が形成される。かかる場合に、サブ外壁材を用いることで、壁非存在の部分にも、外観上支障を及ぼすことなく外壁面を形成できる。
【００１６】
また、コーナ外壁材とサブ外壁材との間の横目地を含む範囲で第２防水手段が設けられているため、補助的に取り付けたサブ外壁材の横目地部分においても防水性能を確保できる。
【００１７】
第５の発明は、前記パラペットの頂部とその上方の前記壁部との入隅部分に前記第１防水手段が貼り付けられており、前記パラペットの頂部には、その頂部を覆うようにしてパラペット防水部材（４２，４３）が取り付けられ、そのパラペット防水部材が、前記第１防水手段に対して重なり合った状態となっていることを特徴とする。
【００１８】
上記構成では、パラペットの頂部において入隅部分用の第１防水手段と、パラペット頂部用のパラペット防水部材とが互いに重なり合う状態で設けられている。この場合、第１防水手段とパラペット防水部材との重複（オーバラップ）により、防水部分の途切れが生じにくくなる。また、第１防水手段における端部付近の剥がれを抑制することもできる。したがって、パラペットの壁突き当て部分の防水性能の向上と、パラペットの頂部の防水性能の向上との両立が可能な防水構造を実現できる。
【００１９】
第６の発明は、前記パラペットの頂部には、当該パラペットを構成するパラペットフレーム（３４）とそのパラペットフレームに固定されるパラペット外壁材（３５）との両方の上面に、防水性を有する粘着テープ（４１）が貼り付けられ、その粘着テープの上に前記パラペット防水部材が取り付けられており、前記粘着テープは、前記第１防水手段の上に重ねて貼り付けられていることを特徴とする。
【００２０】
この場合、第１防水手段における端部付近の剥がれを抑制でき、防水性能を維持することに貢献できる。
【００２１】
第７の発明は、前記壁部において前記下地フレームと前記外壁材との間には、一部が前記外壁材の下端よりも下方に延びるようにして壁下防水シート（７６）が設けられており、前記壁下防水シートに対して重なり合った状態で前記第１防水手段が貼り付けられていることを特徴とする。
【００２２】
上記構成では、壁下防水シートと第１防水手段とが互いに重なり合った状態となっている。この場合、第１防水手段と壁下防水シートとの重複（オーバラップ）により、防水部分の途切れが生じにくくなる。したがって、パラペットの壁突き当て部分の防水性能の向上と、壁下部分における防水性能の向上との両立が可能な防水構造を実現できる。
【００２３】
第８の発明は、前記パラペットと前記壁部との入隅部分には、前記パラペットの頂部と内側部とに沿って延びるカバー部材（７１）が取り付けられていることを特徴とする。
【００２４】
この場合、カバー部材により、パラペットの壁突き当て部分における防水性能の向上に加え、外観上の見栄えの向上を図ることができる。
【図面の簡単な説明】
【００２５】
【図１】建物の屋根部の外観を示す斜視図。
【図２】屋上部とパラペット部との具体的な構成を示す縦断面図。
【図３】パラペット部の内部構成を拡大して示す断面図。
【図４】パラペット防水構造を分解して示す分解断面図。
【図５】入隅部における下地の構成を示す横断面図。
【図６】入隅部の構成を拡大して示す斜視図。
【図７】防水構造の施工手順を説明するための図。
【発明を実施するための形態】
【００２６】
以下、本発明を具体化した一実施形態を図面に基づいて説明する。本実施形態では、鉄骨軸組工法よりなる二階建て建物について具体化しており、その建物は陸屋根タイプの屋根部を有している。図１は、建物の屋根部の外観を示す斜視図である。
【００２７】
図１に示すように、建物１０の屋根部１１は、屋根面（屋上面）を形成する屋上部１２と、屋上部１２の周縁部から立ち上がるように設けられたパラペット部１３とを備えている。パラペット部１３は、建物１０において屋根部１１よりも下方の建物本体部の外壁１４に連続して、その建物本体部の外壁１４の上方に設けられている。
【００２８】
また、屋根部１１には、屋上構造部としての塔屋（ペントハウス）１５が設けられている。この塔屋１５は、少なくとも一側面が屋根周縁となる位置に設けられており、その屋根周縁では塔屋１５の側面部とパラペット部１３とが連続している。この場合、塔屋１５の側壁部１５ａは、パラペット部１３の立ち上がり高さよりも高さ寸法の大きい壁部に相当し、その壁部の壁面から水平方向に延びる（突き出る）ようにしてパラペット部１３が設けられている。これにより、パラペット部１３と塔屋１５との連結部は入隅部Ｒとなっている。
【００２９】
図２は、屋上部１２とパラペット部１３との具体的な構成を示す縦断面図であり、これは図１のＡ−Ａ線断面図に相当する。
【００３０】
図２に示すように、建物１０において上階部の天井部分には、建物構造体（躯体）として例えばＨ形鋼よりなる梁材２１が設けられている。そして、梁材２１の上に、例えば軽量気泡コンクリート（ＡＬＣ）よりなる床パネル２２が設置されている。さらに、床パネル２２の上には屋根板材２３が敷設されるとともに、その上には接着剤よりなる接着層２４を介して防水シート２５が敷設されている。なお本実施形態では、床パネル２２や屋根板材２３等により、屋上部１２に歩行床が形成される構成となっている。床パネル２２の側方において梁材２１の上面側には断熱材２７が取り付けられている。
【００３１】
また、梁材２１には、ボルト等の固定具３１により連結金具３２が固定され、その連結金具３２に外壁パネル３３が固定されている。連結金具３２は、例えばアングル材よりなり、梁材２１の屋外側に位置する鉛直部分が外壁固定部となっている。外壁パネル３３は、軽量鉄骨材である軽溝形鋼よりなる下地フレーム３４と、その下地フレーム３４に固定される外壁材３５とよりなる。下地フレーム３４は、横材である複数のランナ３６と、縦材である複数のスタッド３７とが溶接等により互いに固定されることで構成されている。また、外壁材３５は、例えば窯業系サイディングボードよりなる壁面材により構成されている。下地フレーム３４と外壁材３５との間にはこれらに挟まれた状態で防水シート３８が介在している。
【００３２】
本実施形態では、建物本体部と屋根部１１（パラペット部１３）とに跨がるようにしてスタッド３７が設けられている。つまり、パラペット部１３の頂部に相当する位置に上側のランナ３６が設けられ、そのランナ３６に、建物本体部の上階部と屋根部１１（パラペット部１３）との合計高さ寸法に相当する長さのスタッド３７が固定されている。これにより、外壁パネル３３の一部が屋上部１２よりも上方に突出し、その突出部分がパラペット部１３となっている。パラペット部１３には、少なくともパラペット頂部とパラペット内側面とを含む範囲で防水処理が施されるパラペット防水構造Ｋが具備されている。
【００３３】
次に、パラペット防水構造Ｋについて説明する。図３は、パラペット部１３の内部構成を拡大して示す断面図であり、図４は、パラペット防水構造Ｋを分解して示す分解断面図である。
【００３４】
図３及び図４に示すように、パラペット防水構造Ｋは、粘着テープ４１と、防水プレート４２と、防水シート４３とを有し、これらが積層された状態でパラペット部１３に取り付けられている。粘着テープ４１は、両面に粘着面を有するブチルテープにより構成されている。防水プレート４２は、例えばポリ塩化ビニール樹脂をコーティングした樹脂被覆鋼板である塩ビ鋼板により構成されており、パラペット部１３の頂部形状に応じて成形されている。
【００３５】
防水プレート４２は、パラペット頂部において外側角部を覆うように設けられる外側防水プレート４２Ａと、内側角部を覆うように設けられる内側防水プレート４２Ｂとから構成されており、各防水プレート４２Ａ，４２Ｂは、ネジ４４により下地フレーム３４（ランナ３６）に固定されている。つまり、防水プレート４２が、パラペット幅方向において二部材に分割されて構成されている。防水プレート４２Ａ，４２Ｂは、それぞれ略Ｌ字状をなすよう折り曲げ形成されている。また、防水シート４３は、防水性及び遮熱性を有する合成樹脂製の軟質シートにより構成されている。防水シート４３は、例えば接着剤により防水プレート４２に固着されている。
【００３６】
なお、パラペット部１３の内側面において下地フレーム３４には、各防水部材を取り付けるための取り付け部を形成する受けプレート４５が取り付けられている。また、パラペット部１３の内側面において屋上部１２付近の立ち上がり基端部には、断面略Ｌ字状をなす防水プレート４６が設けられており、この防水プレート４６はネジ４７により受けプレート４５（又は下地フレーム３４のスタッド３７）に固定されている。
【００３７】
防水シート４３は、パラペット頂部からパラペット内側面を経て屋上部１２に至るまでの範囲で設けられており、この防水シート４３によって、パラペット頂部の防水プレート４２だけでなく、パラペット基端部の防水プレート４６も覆われるようになっている。防水シート４３は、屋上部１２において屋上部用の防水シート２５に積層されておりその端部には端末シール材４８が塗布により付けられている。
【００３８】
パラペット防水構造Ｋについてより詳しく説明する。図４（ａ）に示すように、粘着テープ４１は、外壁パネル３３の外壁材３５とランナ３６との各上面に貼り付けられており、特にパラペット厚み方向（図４の左右方向）の両端部は、パラペット両側面となる鉛直部分にも差し掛かるようにして貼り付けられている。つまり、粘着テープ４１は、そのパラペット外側端部が外壁材３５の外壁面（壁表面）に貼り付けられ、そのパラペット内側端部が下地フレーム３４の側面部（ランナ３６のフランジ及び受けプレート４５）に貼り付けられている。かかる構成では、粘着テープ４１は、下地フレーム３４及び外壁材３５の各々の上面と、外壁材３５の外壁面とを含む範囲で貼り付けられるようになっている。
【００３９】
粘着テープ４１は、パラペット部１３の外側及び内側を含む範囲を１枚で貼り付け可能なテープ幅を有している。ただし、複数（例えば２枚）の粘着テープ４１を用いて、パラペット部１３の外側及び内側を含む範囲で貼り付けられる構成であってもよい。
【００４０】
ここで、外壁材３５の外壁面には、その上面付近に、平滑化がなされた平滑部３５ａが形成されており、その平滑部３５ａに、粘着テープ４１の端部が貼り付けられるようになっている。外壁材３５は、窯業系サイディングボードよりなり、かつその外壁面には格子模様など凹凸状の意匠デザインが施されているため、粘着テープ４１の貼り付けに不適であるが、平滑部３５ａを形成することで、粘着テープ４１の貼り付けに適した構成となっている。平滑部３５ａは、例えばルータ加工により形成され、外壁材３５の上面に沿って壁幅方向に延びるように設けられている。
【００４１】
なお、粘着テープ４１は、外壁材３５の外壁面であっても、平滑部３５ａよりも下方の非平滑面には貼り付けられないようになっている。これにより、粘着テープ４１の端部位置で貼り付けができず（すなわち浮き上がりが生じ）、それに起因して粘着テープ４１の剥がれが生じるといった不都合の発生が抑制されている。
【００４２】
そして、図４（ａ）、（ｂ）に示すように、粘着テープ４１の上に防水プレート４２Ａ，４２Ｂが取り付けられている。防水プレート４２Ａ，４２Ｂのうちパラペット外側に取り付けられる防水プレート４２Ａは、パラペット頂部に配置される水平部５１と、その水平部５１から曲げ形成され、外壁材３５の上面付近における外壁面を覆う垂れ下がり部５２とを有しており、水平部５１に、ネジ４４を挿し入れるネジ入れ部５３が形成されている。防水プレート４２Ａの垂れ下がり部５２により、平滑部３５ａが覆われている。
【００４３】
また、垂れ下がり部５２の下端部には、屋外側に向けて斜めに傾けて形成された折返し部５４が設けられている。折返し部５４は、防水プレート４２Ａを構成する塩ビ鋼板を、屋外側に折り曲げ、さらに屋内側（垂れ下がり部５２と外壁面との間の隙間側）に折り返して重ね合わせることで形成されている（ヘミング加工）。
【００４４】
また、パラペット内側に取り付けられる防水プレート４２Ｂは略Ｌ字状に形成されており、そのＬ字状をなす水平部と鉛直部とのうち鉛直部に、ネジ４４を挿し入れるネジ入れ部５６が形成されている。図４（ｂ）において、Ｗ１は両防水プレート４２Ａ，４２Ｂが互いに離間している離間部分である。
【００４５】
そして、図３に示すように、防水プレート４２Ａ，４２Ｂの上に折返し部５４以外の全てを覆うようにして防水シート４３が取り付けられている。防水シート４３のパラペット外側の先端部には端末シール材５７が塗布により付けられている。
【００４６】
次に、パラペット部１３と塔屋１５とにより形成される入隅部Ｒの防水構造について説明する。図５は、入隅部Ｒにおける下地の構成を示す横断面図であり、図６は、入隅部Ｒの構成を拡大して示す斜視図である。
【００４７】
図５には、パラペット部１３の中間高さ位置での横断面の構成が示されており、同構成として、入隅部Ｒに接するパラペット部１３の外壁パネル３３と、塔屋１５の側壁部１５ａの外壁パネル６１とが示されている。これら両外壁パネル３３，６１は、パラペット部１３の外壁パネル３３の側面部（フレーム側面部）に、塔屋１５の側壁部１５ａの外壁パネル６１の端面部（フレーム端面部）が突き当てられる配置となっており、言うなれば、パラペット勝ちの納まりとなっている。なお説明の便宜上、以下には、パラペット部１３の外壁パネル３３を「パラペット外壁パネル３３」、塔屋１５の側壁部１５ａの外壁パネル６１を「塔屋外壁パネル６１」とも称する。
【００４８】
パラペット外壁パネル３３は上述のとおり、下地フレーム３４と外壁材３５とを有する構成となっている。また、塔屋外壁パネル６１も基本構造は同じであり、下地フレーム６２と外壁材６３とを有する構成となっている。下地フレーム６２は、軽量鉄骨材（軽溝形鋼）よりなるランナ６４とスタッド６５とを有している。
【００４９】
ここで、パラペット外壁パネル３３の構成について詳しく説明すると、下地フレーム３４において、入隅部Ｒ側のスタッド３７ａとその反対側のスタッド３７ｂとは軽量鉄骨材の断面形状（大きさ）が相違しており、スタッド３７ａのフランジ長さが、スタッド３７ｂのフランジ長さよりも長くなっている。また、スタッド３７ａの２つのフランジ長さを比べてもそれらは相違しており、壁裏面側（すなわち塔屋外壁パネル６１側）の方がフランジ長さが長くなっている。より具体的には、入隅部Ｒ側のスタッド３７ａにおいて壁裏面側のフランジ長さが、塔屋外壁パネル６１のスタッド６５のウエブ長さよりも長くなっており、それ故に外壁パネル３３，６１により入隅部Ｒを形成した状態では、塔屋外壁パネル６１のスタッド６５に対して、スタッド３７ａのフランジに余長部Ｐが形成されるようになっている。このスタッド３７ａの余長部Ｐは、入隅内側に形成される。
【００５０】
そして、スタッド３７ａ，３７ｂに架け渡して受けプレート４５が取り付けられている。受けプレート４５は、その幅方向の寸法が下地フレーム３４のランナ３６の長さ寸法と同じであって、かつ塔屋外壁パネル６１の下地フレーム６２の端面と重なる部位を含むようにして設けられている。なお、受けプレート４５が、塔屋外壁パネル６１の下地フレーム６２の端面と重なる部位を含まないようにして設けられていてもよく、かかる場合には、スタッド３７ａの余長部Ｐを使って受けプレート４５が固定される。
【００５１】
下地フレーム３４のスタッド３７ａ，３７ｂは、図５のように互いに異なる形状（大きさ）である以外に、互いに同じ形状（大きさ）であってもよい。
【００５２】
また、図６に示すように、塔屋１５において入隅部Ｒの上方となる塔屋１５の出隅部にはコーナ外壁材６７が取り付けられており、側壁部１５ａには、そのコーナ外壁材６７と、塔屋外壁パネル６１の外壁材６３とが横並びとなる位置に設けられている。図５において、符号Ａで示す範囲は、コーナ外壁材６７が取り付けられる部分であり、言うなれば範囲Ａは、塔屋外壁パネル６１において外壁材６３が非存在となる部分となっている。製造上の都合から、外壁材は原則として矩形状をなしており、さらに「パラペット部１３の厚み寸法（図５のＢの寸法）＜コーナ外壁材６７の一面の幅寸法（図５のＡの寸法）」となっていることに起因して、上記ごとく外壁材６３の非存在部分が形成されるようになっている。そして、その外壁材６３の非存在部分（範囲Ａとなる部分）にサブ外壁材６８が取り付けられている。
【００５３】
入隅部Ｒの外観上の構成として、図６に示すように、パラペット部１３の頂部及び内側部にはパラペット防水構造Ｋが設けられている。このパラペット防水構造Ｋは、上述のとおり粘着テープ４１や防水プレート４２、防水シート４３を有する構成となっている。パラペット部１３において側壁部１５ａ側の付け根部分には化粧金物７１が取り付けられている。化粧金物７１は、パラペット部１３の頂部における入隅部分と側方部における入隅部分とに延びるＬ字状をなしており、ビスや釘等によりパラペット部１３及び側壁部１５ａに対して固定されている。
【００５４】
また、コーナ外壁材６７とサブ外壁材６８との間の横目地部分には、止水シール７２が取り付けられている。この止水シール７２により一次不定形シール（一次シール）が構成されている。
【００５５】
また、塔屋外壁パネル６１において、外壁材６３，６８は屋上部１２の屋上面から上方に離間している。そして、外壁材６３，６８の下方には水切部材７３が取り付けられ、その水切部材７３の下方には、屋上部１２の屋上面から立ち上げられるようにして防水シート７４が取り付けられている。
【００５６】
次に、入隅部Ｒの防水構造に関して施工の手順を図７を用いて説明する。図７では、図６と同じ部位での構成を示しており、（ａ）〜（ｄ）の順に施工が進むとしている。
【００５７】
まず図７（ａ）には、建物１０の建方（鉄骨建方）が終わり、外壁パネル３３，６１の取り付け作業（出隅部分を含む）が完了した状態が示されている。ただし図７（ａ）の状態では、各外壁材のうちサブ外壁材６８のみが取り付けられていない状態となっている。この図７（ａ）では、塔屋外壁パネル６１において外壁材６３の下方には壁下シート７６が貼り付けられている。この壁下シート７６は、塔屋外壁パネル６１を製造する製造工場にて先付けされているとよい。
【００５８】
また、図７（ａ）では、パラペット部１３の頂部における入隅部分に、コーナ防水テープ７７が貼り付けられている。このコーナ防水テープ７７は、コーナ外壁材６７の裏面側の下地フレームに貼り付けられる部分（鉛直部分）と、パラペット部１３の下地フレーム３４の上面に貼り付けられる部分（水平部分）とを有している。コーナ防水テープ７７は、塔屋１５の出隅部分にコーナ外壁材６７が取り付けられる前に、塔屋１５側及びパラペット部１３側に貼り付けられるとよい。
【００５９】
そして、図７（ｂ）に示すように、パラペット部１３の側方部における入隅部分にコーナ防水テープ７８が貼り付けられる。この場合、コーナ防水テープ７８は、パラペット部１３側に貼り付けられる部分と、側壁部１５ａ側に貼り付けられる部分とを有しており、そのうち前者の部分は下地フレーム６２のスタッド６５に貼り付けられ、後者の部分は下地フレーム３４のランナ３６と受けプレート４５とに貼り付けられる。
【００６０】
なお、仮に下地フレーム３４に受けプレート４５が取り付けられていない構成であるなら、下地フレーム３４のスタッド３７ａの余長部Ｐ（図５参照）にコーナ防水テープ７８が貼り付けられるとよい。
【００６１】
コーナ防水テープ７７，７８の貼り付け部の構成について補足すると、側壁部１５ａには、下地フレーム６２等の下地部によりテープ貼り付け面が形成されるとともに、パラペット部１３には、下地フレーム３４等の下地部によりテープ貼り付け面が形成されており、これら各貼り付け面は入隅頂点位置から互いに交差する方向に延びるように設けられている。そして、その貼り付け面にコーナ防水テープ７７，７８がＬ字状に貼り付けられている。このとき、コーナ防水テープ７８は、壁下シート７６に一部（例えば１〜２ｃｍ程度）が重なり合うようにして貼り付けられるようになっている。
【００６２】
その後、図７（ｃ）に示すように、パラペット部１３の頂部と、その外側部及び内側部の両方とを含む所定範囲に粘着テープ４１が貼り付けられる。この場合、上述のとおり粘着テープ４１は、パラペット部１３の外側及び内側の両方の鉛直部分に差し掛かるようにして貼り付けられる（図３参照）。このとき、粘着テープ４１は、コーナ防水テープ７７，７８に一部が重なり合うようにして貼り付けられるようになっている。
【００６３】
その後、図７（ｄ）に示すように、粘着テープ４１の上に、防水プレート４２と防水シート４３とが取り付けられる。また、側壁部１５ａにおいてパラペット部１３の内側面と外壁材６３との間の部分（外壁材６３の非存在部分）にサブ外壁材６８が取り付けられる。これにより、コーナ防水テープ７８は、防水プレート４２及び防水シート４３とサブ外壁材６８とにより覆い隠されることとなる。
【００６４】
また、パラペット頂部（防水シート４３の上面）及びコーナ外壁材６７の間の横目地と、コーナ外壁材６７及びサブ外壁材６８の間の横目地とは水平方向に直線状に並び、かつ連続しており、それらの横目地には不定形シールよりなる止水シール７２が取り付けられる。この場合、パラペット部１３の側方部における入隅部分では、止水シール７２が一次止水シール、コーナ防水テープ７７が二次止水シールとして機能する。なお、パラペット側面部とサブ外壁材６８との間の縦目地の部分に同様に止水シールを取り付けることも可能である。
【００６５】
そして、パラペット部１３において側壁部１５ａ側の付け根部分に化粧金物７１を取り付けるとともに、側壁部１５ａの側に水切部材や防水シート７４を取り付けることで、図６に示す防水構造となり、一連の施工作業が完了する。
【００６６】
以上詳述した本実施形態によれば、以下の優れた効果が得られる。
【００６７】
パラペット部１３の壁突き当て部分においてパラペット部１３と塔屋１５（側壁部１５ａ）との入隅部Ｒに、塔屋外壁パネル６１の下地部とパラペット部１３の下地部との両方に跨ってコーナ防水テープ７７，７８を貼り付ける構成とした。この場合、コーナ防水テープ７７，７８を用いることで、パラペット部１３の壁突き当て部分においてパラペット内部への浸水が生じにくくなる。これにより、パラペット部１３の壁突き当て部分において防水性能を向上させることができる。
【００６８】
パラペット部１３と側壁部１５ａとのそれぞれに、入隅頂点位置から互いに交差する方向に延びる貼り付け面を形成し、その貼り付け面にＬ字状にコーナ防水テープ７７，７８を貼り付ける構成とした。この場合、２つの貼り付け面を確保することで、入隅部Ｒにおいてコーナ防水テープ７７，７８が浮いてしまい浸水の隙間ができるといった不都合が生じないようになる。そのため、コーナ防水テープ７７，７８をしっかりと貼り付けることができ、これにより防水性能を高めることができる。
【００６９】
パラペット部１３と側壁部１５ａとの入隅部Ｒにおいてコーナ防水テープ７７，７８の外側となる位置に、一次不定形シールである止水シール７２を設ける構成とした。これにより、入隅部Ｒに止水シール７２とコーナ防水テープ７７とを内外に配置して設け、二重の防水層を形成できる。ゆえに、パラペット部１３の壁突き当て部分における防水性能を一層向上させることができる。
【００７０】
コーナ外壁材６７とサブ外壁材６８との間の横目地を含む範囲で止水シール７２を設ける構成とした。これにより、補助的に取り付けたサブ外壁材６８の横目地部分においても防水性能を確保できる。
【００７１】
パラペット部１３の頂部を覆うようにしてパラペット防水構造Ｋとして防水プレート４２や防水シート４３が取り付けられている構成において、パラペット防水構造Ｋをコーナ防水テープ７７，７８に対して重なり合う状態で設けるようにした。この場合特に、パラペット外壁パネル３３の上面においてコーナ防水テープ７７の上に重ねて粘着テープ４１を貼り付ける構成とした。これにより、パラペット防水構造Ｋとコーナ防水テープ７７，７８との重複（オーバラップ）により、防水部分の途切れが生じにくくなる。また、コーナ防水テープ７７，７８における端部付近の剥がれを抑制することもできる。したがって、パラペット部１３の壁突き当て部分の防水性能の向上と、パラペット頂部の防水性能の向上との両立が可能な防水構造を実現できる。
【００７２】
壁下シート７６に対して重なり合った状態でコーナ防水テープ７８を貼り付ける構成とした。この場合、コーナ防水テープ７８と壁下シート７６との重複（オーバラップ）により、防水部分の途切れが生じにくくなる。したがって、パラペット部１３の壁突き当て部分の防水性能の向上と、壁下部分における防水性能の向上との両立が可能な防水構造を実現できる。
【００７３】
入隅部Ｒに、パラペット部１３の頂部と内側部とに沿って延びる化粧金物７１を取り付ける構成とした。これにより、パラペット部１３の壁突き当て部分における防水性能の向上に加え、外観上の見栄えの向上を図ることができる。
【００７４】
［他の実施形態］
本発明は上記実施形態の記載内容に限定されず、例えば次のように実施されてもよい。
【００７５】
・パラペット部１３の頂部に貼り付けられるコーナ防水テープ７７と、パラペット部１３の側面部に貼り付けられるコーナ防水テープ７８とを１枚のテープ材により構成することも可能である。
【００７６】
・上記実施形態では、建物１０の屋根部１１に塔屋１５を設け、その塔屋１５の側壁部１５ａに突き当たるようにパラペット部１３を設けたが、これを変更してもよい。例えば、屋根部１１に、屋上空間を仕切る立て壁部を設け、その立て壁部に突き当たるようにパラペット部１３を設ける構成でもよい。
【００７７】
・上記実施形態では、側壁部１５ａにおいて外壁材６３の下方に水切部材７３を取り付ける構成としたが、これを変更し、水切部材７３を取り付けない構成としてもよい。この場合、外壁材６３の下端部を下方に延ばし、屋上面に近接させるとよい（サブ外壁材６８も同様）。
【符号の説明】
【００７８】
１０…建物、１１…屋根部、１３…パラペット部、１５…塔屋、１５ａ…側壁部、３４…下地フレーム（パラペットフレーム）、３５…外壁材（パラペット外壁材）、４１…粘着テープ、４２…防水プレート（パラペット防水部材）、４３…防水シート（パラペット防水部材）、６２…下地フレーム、６３…外壁材、６７…コーナ外壁材、６８…サブ外壁材、７１…化粧金物（カバー部材）、７２…止水シール（第２防水手段）、７６…壁下シート（壁下防水シート）、７７，７８…コーナ防水テープ（第１防水手段）。
【図１】
2014194130.tif 000003
【図２】
2014194130.tif 000004
【図３】
2014194130.tif 000005
【図４】
2014194130.tif 000006
【図５】
2014194130.tif 000007
【図６】
2014194130.tif 000008
【図７】
2014194130.tif 000009